(57)【要約】【課題】蓄光材が設けられた物品を収納して、均一に効率的に蓄光できる蓄光ボックスを提供する。【解決手段】蓄光ボックス１は、蓄光材が設けられた物品を収納するボックス本体２を備える。ボックス本体２の内側の面に、紫外線を発光する複数の発光ダイオード１３が点在するように設けられる。また、ボックス本体２の内側の面が鏡面になっている。このようにした蓄光ボックス１では、ボックス本体２に収納された物品に紫外線を照射して、物品に設けられた蓄光材に蓄光することができる。このとき、ボックス本体２の内側の面に発光ダイオード１３が点在しており、しかもこれら発光ダイオード１３が発光する紫外線が、鏡面となっているボックス本体２の内側の面で反射し、物品に対して各方向から照射される。これにより、物品に設けられた蓄光材に均一に効率的に蓄光することができる。【選択図】図１
0003223369.tif 000002
【実用新案登録請求の範囲】
【請求項１】
蓄光材が設けられた物品を収納して蓄光するための蓄光ボックスであって、
前記物品を収納するボックス本体と、
前記ボックス本体の内側に設けられた光源とを有し、
前記ボックス本体の内側の面のうち少なくともいずれか一つが鏡面であることを特徴とする蓄光ボックス。
【請求項２】
前記ボックス本体の内側の面に、前記光源として複数の発光ダイオードが点在することを特徴とする請求項１に記載の蓄光ボックス。
【請求項３】
前記ボックス本体の内側の複数の面にそれぞれ複数の前記発光ダイオードが点在することを特徴とする請求項２に記載の蓄光ボックス。
【請求項４】
前記ボックス本体の内側の複数の面が鏡面であることを特徴とする請求項１乃至３のいずれか１項に記載の蓄光ボックス。
【請求項５】
前記ボックス本体は、蓄光材が設けられた衣服を収納するものであることを特徴とする請求項１乃至４のいずれか１項に記載の蓄光ボックス。
【請求項６】
前記衣服である上着の袖を覆うことのできる筒体を備え、
前記筒体の少なくとも内周面にも光源が設けられていることを特徴とする請求項５に記載の蓄光ボックス。
【請求項７】
前記ボックス本体は、持ち運び可能であり、
前記ボックス本体には、前記衣服を吊るすハンガーのフックを外部に導出する開口部が設けられていることを特徴とする請求項５又は６に記載の蓄光ボックス。
【請求項８】
前記ボックス本体は、持ち運び可能で、蓄光材が設けられた鞄を収納するものであり、
前記ボックス本体には、前記鞄の持ち手を外部に導出する開口部が設けられていることを特徴とする請求項１乃至４のいずれか１項に記載の蓄光ボックス。
【考案の詳細な説明】
【技術分野】
【０００１】
本考案は、蓄光材が設けられた物品を収納して蓄光する蓄光ボックスに関する。
【背景技術】
【０００２】
蓄光材が設けられた物品として、例えば特許文献１には、消防隊・消防団用の防火服であって、袖周りや胸部に、蓄光材を含む帯状の発光部が設けられる構成が開示されている。
また、本出願人は、特許文献２において、蓄光材が設けられる物品を収容可能な本体を備えた蓄光ボックスを提案している。特許文献２には、ブラックライト蛍光灯を有する光源ユニットを、蓄光ボックスの本体の内面の任意の位置に着脱可能に取付けられるようにした構成が開示されている。
【先行技術文献】
【特許文献】
【０００３】
【特許文献１】特開２００９−１５１２１３号公報
【特許文献２】実用新案登録第３１８００７０号公報
【考案の概要】
【考案が解決しようとする課題】
【０００４】
蓄光ボックスを利用するに際して、収納する物品の複数の面や物品に沿って全周に蓄光材が設けられているような場合、一つの光源だけでは、蓄光材に対する蓄光が偏るおそれがある。その対策として、光源の数を増やすことも考えられるが、物品における蓄光材の配置、光源の形状やサイズによっては、それでもなお蓄光材に対する蓄光が偏ったり、蓄光が効率的でなくなったりするおそれがある。
【０００５】
本考案は上記のような点に鑑みてなされたものであり、蓄光材が設けられた物品を収納して、均一に効率的に蓄光できる蓄光ボックスを提供することを目的とする。
【課題を解決するための手段】
【０００６】
本考案に係る蓄光ボックスは、蓄光材が設けられた物品を収納して蓄光するための蓄光ボックスであって、前記物品を収納するボックス本体と、前記ボックス本体の内側に設けられた光源とを有し、前記ボックス本体の内側の面のうち少なくともいずれか一つが鏡面であることを特徴とする。
また、本考案に係る蓄光ボックスの他の特徴とするところは、前記ボックス本体の内側の面に、前記光源として複数の発光ダイオードが点在する点にある。この場合に、前記ボックス本体の内側の複数の面にそれぞれ複数の前記発光ダイオードが点在するようにしてもよい。
また、本考案に係る蓄光ボックスの他の特徴とするところは、前記ボックス本体の内側の複数の面が鏡面である点にある。
また、本考案に係る蓄光ボックスの他の特徴とするところは、前記ボックス本体は、蓄光材が設けられた衣服を収納するものである点にある。この場合に、前記衣服である上着の袖を覆うことのできる筒体を備え、前記筒体の少なくとも内周面にも光源が設けられるようにしてもよい。また、前記ボックス本体は、持ち運び可能であり、前記ボックス本体には、前記衣服を吊るすハンガーのフックを外部に導出する開口部が設けられるようにしてもよい。
また、本考案に係る蓄光ボックスの他の特徴とするところは、前記ボックス本体は、持ち運び可能で、蓄光材が設けられた鞄を収納するものであり、前記ボックス本体には、前記鞄の持ち手を外部に導出する開口部が設けられている点にある。
【考案の効果】
【０００７】
本考案によれば、蓄光材が設けられた物品を収納して、均一に効率的に蓄光できる蓄光ボックスを提供することができる。
【図面の簡単な説明】
【０００８】
【図１】第１の実施形態に係る蓄光ボックスの構成を模式的に示す外観斜視図である。
【図２】第１の実施形態に係る蓄光ボックスの構成を模式的に示す断面図である。
【図３】光源の例を説明するための図である。
【図４】上着の袖を覆う蓄光ユニットを説明するための図である。
【図５】第１の実施形態に係る蓄光ボックスの変形例を説明するための図である。
【図６】第２の実施形態に係る蓄光ボックスの構成を模式的に示す外観斜視図である。
【図７】第３の実施形態に係る蓄光ボックスの構成を模式的に示す外観斜視図である。
【考案を実施するための形態】
【０００９】
以下、添付図面を参照して、本考案の好適な実施形態について説明する。
［第１の実施形態］
図１は、第１の実施形態に係る蓄光ボックス１の構成を模式的に示す外観斜視図である。図２は、蓄光ボックス１の構成を模式的に示す断面図であり、図１のＡ−Ａ線断面矢視図である。
【００１０】
第１の実施形態に係る蓄光ボックス１は、例えば鉄系の金属材料からなる縦長のロッカータイプのボックス本体２を有する。ボックス本体２の六面を、前面３、後面４、左右の側面５、上面（天井面）６、底面７と呼ぶ。ボックス本体２は、例えば鉄系の金属材料製、樹脂製、木製等とすればよく、その材質は限られるものではない。ボックス本体２の前面３は、開閉可能な扉１０で構成される。
ボックス本体２は、蓄光材９が設けられた一枚の衣服８、例えば消防隊・消防団用の防火服を収納するものとする。また、ボックス本体２の内側の上面６付近には、ハンガー１１を掛けるためのバー１２が設置される。使用者は、衣服８を、ハンガー１１に吊るした状態でボックス本体２に収納することができる。
【００１１】
ボックス本体２の内側の面に、光源として、紫外線を発光する複数の発光ダイオード１３が点在するように設けられる。例えばボックス本体２の六面全てに、複数の発光ダイオード１３が点在するようにする。
ここで、図３（ａ）に示すように、テープ状の基板１４上に複数の発光ダイオード１３が並べられたものが、ＬＥＤテープライト１５等と呼ばれて実用化されている。このようなＬＥＤテープライト１５を利用して、ボックス本体２の内側の面に複数の発光ダイオード１３が点在するにすればよい。
本実施形態では、発光ダイオード１３は紫外線を発光するものとするが、蓄光材９の特性に応じて、蓄光材９に効率よく蓄光できる波長の光を発するものが適宜選択されればよい。
【００１２】
また、ボックス本体２の内側の面が鏡面になっている。例えばボックス本体２の六面全てが鏡面になっている。
ここで、本願において鏡面とは、鏡の面であることに限られるものではなく、ボックス本体２の内側の面が鏡面仕上げされていたり、ボックス本体２の内側の面に鏡面仕上げされた面材が貼着等されていたりする形態を含む。すなわち、本願において鏡面とは、ボックス本体２のそのものの面（例えばボックス本体２の外側の面や、内側の面のうち鏡面になっていない面）よりも、反射率の高い面になっていることをいう。
【００１３】
図３（ｂ）に示すように、衣服８を出し入れする際に引っ掛かりが起きないように、ボックス本体２の内側の面と、発光ダイオード１３とは略面一になっているのが好ましい。例えばボックス本体２の内側の面に鏡面仕上げされた面材１６が貼着等される場合、面材１６に発光ダイオード１３が入り込む複数の開口１６ａを設けて、面材１６と発光ダイオード１３とが略面一になるようにすればよい。
【００１４】
なお、光源の電源は限定されるものではなく、図１に示すように、プラグ１７を介して家庭用電源を利用してもよいし、電池（例えば特許文献２にあるように太陽電池や蓄電池）を利用してもよい。
【００１５】
以上のようにした蓄光ボックス１では、ボックス本体２に収納された衣服８に紫外線を照射して、衣服８に設けられた蓄光材９に蓄光することができる。このとき、ボックス本体２の内側の面に発光ダイオード１３が点在しており、しかもこれら発光ダイオード１３が発光する紫外線が、鏡面となっているボックス本体２の内側の面で反射し、衣服８に対して各方向から照射される。これにより、衣服８に設けられた蓄光材９に均一に効率的に蓄光することができる。
【００１６】
ここで、衣服８が上着である場合に、図２に示すように、その袖８ａの周りや身頃（胴部）８ｂの周りに帯状の蓄光材９が設けられることがある。
この場合、上着８をハンガー１１に吊るした状態でボックス本体２に収納したときに、図２のように袖８ａがまっすぐに延びるわけではなく、実際には袖８ａが身頃８ｂに接触する等して、袖８ａや身頃８ｂに設けられた蓄光材９に蓄光しにくい状態になることがある。
【００１７】
そこで、図４に示すように、上着８の袖８ａを覆う蓄光ユニット１８を使用するようにしてもよい。蓄光ユニット１８は、袖８ａを覆うことのできる筒体１９を備え、筒体１９の内周面及び外周面に沿って、光源として発光ダイオード（図示例ではＬＥＤテープライト１５）が設けられる。ボックス本体２に上着８を収納するときに、袖８ａを蓄光ユニット１８の筒体１９の中に入れるようにすれば、内周面側のＬＥＤテープライト１５により、袖８ａの周りに設けられた蓄光材９に蓄光することができ、外周面側のＬＥＤテープライト１５により、身頃８ｂの周りに設けられた蓄光材９に蓄光することができる。
【００１８】
左右一対の蓄光ユニット１８は、ボックス本体２内で不図示の支持部材で支持されるようにしておけばよい。蓄光ユニット１８は、上着８をハンガー１１に吊るした状態でボックス本体２に収納したときに、その袖８ａがちょうど筒体１９の中に入るように配置される。
或いは、筒体１９が例えば樹脂製、紙製、木製等で軽量なものであれば、筒体１９及び袖８ａに面ファスナ等を設けて、筒体１９を袖８ａに係合させるような形態としてもよい。
【００１９】
なお、袖８ａを入れやすくするために、筒体１９をその軸を含む平面に沿って半割にし、開閉自在にする等の構成を採用してもよい。
また、筒体１９の内周面や外周面を鏡面にしてもよい。
また、筒体１９の内周面及び外周面に沿って光源が設けられる例としたが、例えば内周面だけに光源が設けられるようにしてもよい。
【００２０】
以上、第１の実施形態に係る蓄光ボックス１を説明したが、一例を説明したに過ぎず、これに限定されるものではない。
例えば図５に示すように、ボックス本体２が、ロッカータイプで、複数枚の衣服８を収納できるような形態としてもよい。
ただし、ボックス本体２の内部に複数枚の衣服８を収納する場合、側面５に面して位置する衣服８と、中央に位置する衣服８とでは、蓄光材９に対する蓄光が偏るおそれがある。
そこで、着脱自在な仕切り板２０を用いて、ボックス本体２の内部の空間を、一枚の衣服８を収納するスペースに仕切ることのできる構成にしてもよい。この場合、ボックス本体２の内側の面だけでなく、仕切り板２０においても、適宜、鏡面としたり、複数の発光ダイオード１３が点在したりするようにする。
【００２１】
［第２の実施形態］
図６は、第２の実施形態に係る蓄光ボックス２１の構成を模式的に示す外観斜視図である。
第２の実施形態に係る蓄光ボックス２１は、持ち運び可能なボックス本体２２を有する。第１の実施形態に倣って、ボックス本体２２の六面を、前面３、後面４、左右の側面５、上面６、底面７と呼ぶ。ボックス本体２２は、例えば樹脂製や紙製として、持ち運びしやすいものとする。ボックス本体２２の前面３は、開閉可能な扉２３で構成される。
ボックス本体２２は、蓄光材９が設けられた一枚の衣服８、例えば夜間に着用する交通安全用の衣服を収納するものとする。
なお、前面３が扉２３であるとしたが、この構成に限られるものではない。例えば前面３、後面４、左右の側面５、及び上面６を有するが、底面７を開口部とし、その開口部から衣服８を収納するようなかたちにしてもよい。
【００２２】
第１の実施形態でも述べたように、ボックス本体２２の内側の面（例えば六面全て）に、光源として、紫外線を発光する複数の発光ダイオード１３が点在するように設けられる。
また、ボックス本体２２の内側の面（例えば六面全て）が鏡面になっている。
【００２３】
また、ボックス本体２２の上面６には開口部２４が形成されており、この開口部２４から、衣服８を吊るすハンガー１１のフック１１ａを外部に導出することができる。これにより、ハンガー１１をクローゼット等のバーに掛けて、衣服８を蓄光ボックス２１に収納した状態で吊り下げることができる。
【００２４】
なお、本実施形態では衣服８を収納して蓄光するための蓄光ボックス２１を例としたが、例えば蓄光材が設けられた鞄を収納して蓄光するための蓄光ボックスであってもよい。この場合にも、図６に示すのと同様、ボックス本体の上面に形成された開口部から、鞄の持ち手を外部に導出するようにすれば、鞄を蓄光ボックスに収納した状態で吊り下げることができる。
【００２５】
［第３の実施形態］
図７は、第３の実施形態に係る蓄光ボックス３１の構成を模式的に示す外観斜視図である。
第３の実施形態に係る蓄光ボックス３１は、蓄光材９が設けられた靴（シューズや安全靴等）を収納して蓄光する。例えばシューズ３４の側部に帯状の蓄光材９が縫い付けられるとともに、靴紐３５にも蓄光成分が含有されている。
蓄光ボックス３１は、引き出しタイプのボックス本体３２を有する。すなわち、ボックス本体３２は、前面が開口する箱型の本体３２ａと、上面が開口し、本体３２に出し入れする引き出し３２ｂとを備える。第１の実施形態に倣って、ボックス本体３２の六面を、前面３、後面４、左右の側面５、上面６、底面７と呼ぶ。図示例の引き出しタイプのボックス本体３２においては、本体３２ａの天井面が上面６に相当し、引き出し３２ｂの前面、後面、左右の側面、底面が前面３、後面４、左右の側面５、底面７に相当するものとする。ボックス本体３２は、金属材料製、樹脂製、木製、紙製とすればよく、その材質は限られるものではない。
【００２６】
第１、２の実施形態でも述べたように、ボックス本体３２の内側の面（例えば六面全て）に、光源として、紫外線を発光する複数の発光ダイオード１３が点在するように設けられる。
また、ボックス本体３２の内側の面（例えば六面全て）が鏡面になっている。
【００２７】
なお、ボックス本体３２の具体的な構造は図示例のものに限られるものではなく、例えば引き出し３２ｂの形状等は適宜変更されればよい。
また、引き出しタイプのボックス本体に限られるものではなく、例えば前面が扉で開閉可能とされた下駄箱タイプのボックス本体や、上面が開口する箱型の本体及びその開口を塞ぐ蓋を有するボックス本体でもよい。
【００２８】
以上、本考案を実施形態と共に説明したが、上記実施形態は本考案を実施するにあたっての具体化の例を示したものに過ぎず、これらによって本考案の技術的範囲が限定的に解釈されてはならないものである。すなわち、本考案はその技術思想、又はその主要な特徴から逸脱することなく、様々な形で実施することができる。また、実施形態を適宜組み合わせてもよい。
上記実施形態では、ボックス本体の六面全てに複数の発光ダイオードが点在するようにし、また、ボックス本体の六面全てが鏡面になっている例を説明したが、どの面に光源が設けられ、どの面が鏡面になっているかは限定されるものではない。
また、本考案を適用するに際し、対象とする物品は上述したような衣服、鞄、靴に限られるものではない。例えば工事現場等で使用される看板等の器具や、ルアー等の釣具等、蓄光材が設けられた物品であれば本考案は広く適用可能である。ボックス本体の構造やサイズも、対象とする物品に合わせて適宜設計されればよい。
また、本考案でいう「蓄光材が設けられる」は、例えば物品に帯状やシート状の蓄光材が貼着等される形態だけでなく、物品に蓄光塗料が塗布されたり、蓄光成分が含有されたりするような形態も含むものとする。
【符号の説明】
【００２９】
１、２１：蓄光ボックス、２、２２：ボックス本体、８：衣服、９：蓄光材、１３：発光ダイオード、１５：ＬＥＤテープライト、１６：面材、１８：蓄光ユニット、１９：筒体、２４：開口部
【図１】
0003223369.tif 000003
【図２】
0003223369.tif 000004
【図３】
0003223369.tif 000005
【図４】
0003223369.tif 000006
【図５】
0003223369.tif 000007
【図６】
0003223369.tif 000008
【図７】
0003223369.tif 000009